(57)【要約】【課題】従来のカバー具を不要にできると共に、尖鋭部による作業者の怪我を防止可能であって、しかも、生産性の良い忍び返し具を提供する。【解決手段】パイプ取付バンド・電柱・壁面・フェンス・塀・門扉・門塀等、所望の位置に取付けて、侵入者等を防止するための忍び返し具Ａであって、前記所望の位置に取付可能な取付用基板１と、前記取付用基板１に突設された忍び返し部２と、前記忍び返し部２の先端に形成した尖鋭部２１と一体形成され、前記尖鋭部２１を保護するカバー部３とよりなり、前記尖鋭部２１と前記カバー部３の境界に、カバー部３を破断除去し得る破断促進部３１を形成し、カバー部３を除去自在にしたことを特徴とする。【選択図】図１
2008184844.tif 000002
【特許請求の範囲】
【請求項１】
パイプ取付バンド・電柱・壁面・フェンス・塀・門扉・門塀等、所望の位置に取付けて、侵入者等を防止するための忍び返し具であって、
前記所望の位置に取付可能な取付用基板と、
前記取付用基板に突設された忍び返し部と、
前記忍び返し部の先端に形成した尖鋭部と一体形成され、前記尖鋭部を保護するカバー部とよりなり、
前記尖鋭部と前記カバー部の境界に、カバー部を破断除去し得る破断促進部を形成し、前記カバー部を除去自在にしたことを特徴とする忍び返し具。
【請求項２】
請求項１において、
カバー部は、複数設けた尖鋭部に対応して区分けして、除去自在に尖鋭部と一体形成されてなる忍び返し具。
【発明の詳細な説明】
【技術分野】
【０００１】
本発明は、パイプ取付バンド・電柱・壁面・フェンス・塀・門扉・門塀等、所望の位置に取付けて、侵入者等を防止するための忍び返し具に関する。
【背景技術】
【０００２】
従来、フェンス、塀、門扉、門塀等の包囲部材の上端に、この包囲部材を侵入者等が乗り越えることを防止するために設置する忍び返し具が知られており、この忍び返し具は、一般に、前記包囲部材の上端に固定される取付用基板と、この取付用基板に突設された複数の忍び返し部と、より構成してなる。
【０００３】
そして、前記忍び返し部には、侵入者等が乗り越えることを防止又は威嚇するために、先端を鋭利に形成した尖鋭部が形成されている（例えば、特許文献１参照。）。
【０００４】
この忍び返し具は、製造メーカー等で製造された後、所望の設置場所にトラック等で運搬され、店頭販売し、現場にて設置作業が行われるが、運搬作業では、尖鋭部がケースを突き破り、商品を傷付けたり、怪我の危険があり、店頭での販売や、施工現場での設置作業等の取り扱い時において、購入者や作業者が誤って前記尖鋭部によって怪我をする危険があり、注意を払う必要がある。
【０００５】
そのため、製造メーカー等では、前記複数の尖鋭部の先端に、例えば、金属、ゴム、合成樹脂、紙等で形成されたカバー具を別途に形成しておき、このカバー具で前記尖鋭部を被覆したうえで運搬作業や設置作業等を行うようにすることで、前記作業者が前記尖鋭部によって怪我をする危険を防止していた。
【特許文献１】特開２００６−２０７２８５
【発明の開示】
【発明が解決しようとする課題】
【０００６】
しかしながら、前記カバー具は、前記忍び返し具を製造した後、複数の尖鋭部に手作業で一々被覆する必要があり、生産性が悪いうえ、高コストであるという問題があった。
【０００７】
本発明は、かかる課題を解決することを目的とするもので、従来のカバー具を不要にできると共に、複数の尖鋭部による作業者の怪我を防止可能であって、しかも、生産性の良い忍び返し具を提供する。
【課題を解決するための手段】
【０００８】
請求項１に係る忍び返し具は、パイプ取付バンド・電柱・壁面・フェンス・塀・門扉・門塀等、所望の位置に取付けて、侵入者等を防止するための忍び返し具であって、前記所望の位置に取付可能な取付用基板と、前記取付用基板に突設された忍び返し部と、前記忍び返し部の先端に形成した尖鋭部と一体形成され、前記尖鋭部を保護するカバー部とよりなり、前記尖鋭部と前記カバー部の境界に、カバー部を破断除去し得る破断促進部を形成し、前記カバー部を除去自在にしたことを特徴とする。
【０００９】
請求項２に係る忍び返し具は、請求項１において、カバー部は、複数設けた尖鋭部に対応して区分けして、除去自在に尖鋭部と一体形成されてなる。
【発明の効果】
【００１０】
本発明によれば、次のような効果がある。
【００１１】
請求項１に係る忍び返し具によれば、尖鋭部を保護するカバー部を、前記尖鋭部と一体形成すると共に、前記尖鋭部と前記カバー部の境界に破断促進部を形成して、前記カバー部を除去自在な構造にしている。
【００１２】
そのため、従来のカバー具を不要にして、生産性を高めることができるうえ、運搬作業や設置作業等の取り扱い時において、作業者が誤って尖鋭部によって怪我をする危険を確実に防止できる。また、現場にて設置した後においては、カバー部を破断除去して侵入者等の侵入を防止できる。
【００１３】
請求項２に係る忍び返し具によれば、請求項１の効果に加え、カバー部が複数に区分けして尖鋭部と一体形成されているので、必要なカバー部だけを除去することができ、使用者が選択する尖鋭部だけを保護して使用することができる。
【発明を実施するための最良の形態】
【００１４】
以下、本発明に係る忍び返し具を図面とともに説明する。
【実施例１】
【００１５】
図１（ａ）、（ｂ）は、本発明に係る忍び返し具Ａの一実施例を示した斜視図であり、図１（ａ）は、カバー部が尖鋭部と一体形成された状態を示す斜視図であり、図１（ｂ）は、カバー部を尖鋭部から除去した状態を示す斜視図である。
【００１６】
この忍び返し具Ａは、パイプ取付バンド・電柱・壁面・フェンス・塀・門扉・門塀等、所望の位置に取付可能な取付用基板１と、取付用基板１に突設された複数の忍び返し部２と、忍び返し部２の先端に形成した尖鋭部２１と一体形成され、尖鋭部２１を保護するカバー部３とよりなり、これら尖鋭部２１とカバー部３の境界に、カバー部３を破断除去し得る破断促進部３１を形成して、カバー部３を除去自在にしている。
【００１７】
本実施例で示す忍び返し具Ａは、取付用基板１、忍び返し部２、カバー部３が、金属板を折り曲げて一体形成してなり、取付用基板１の適所には、ネジ、釘等を挿通する取付穴１１を形成している。
【００１８】
また、取付用基板１には、溶接固定や、粘着テープを貼着して、取付用基板１を所望の場所に取付けることもできる。
【００１９】
取付用基板１の一端には、放射状に形成された複数の忍び返し部２が突設しており、これら忍び返し部２には、各々先端側に向けて尖った尖鋭部２１を形成してなる。
【００２０】
また、忍び返し部２の形状は、本実施例に限定されず、侵入者の侵入を防止できる先端尖鋭な形状であれば構わないが、本実施例のように忍び返し部２が、上方向、下方向、斜め方向に組み合わされた放射状に形成したものであれば、あらゆる方向からの侵入者に対する威嚇効果を高めることができる。
【００２１】
この忍び返し部２は、５方向以上に向けて形成することが望ましく、５方向以上であれば手足及び小動物等が必ず忍び返し部２の何れかに当り、侵入者に対する威嚇効果を高めることができる。
【００２２】
なお、本実施例では、隣設する尖鋭部２１同士の角度を略３５°に設定することで、５方向に向けた忍び返し部２を形成して、侵入者に対する威嚇効果を一層高めている。
【００２３】
また、忍び返し部２の尖鋭部２１の先端角度は、３０°以下に形成することが望ましく、この先端角度によって、侵入者に対する威嚇効果を一層高めることができる。
【００２４】
取付用基板１及び忍び返し部２の適所には、片面に向けて凹ませた（又は突出させた）補強用リブ４を形成するのが好ましく、このような補強用リブ４を形成すれば、取付用基板１及び忍び返し部２の変形を防止でき、忍び返し具Ａの全体強度を高めることができる。
【００２５】
カバー部３は、少なくとも運搬作業や設置作業等を行う作業者が尖鋭部２１に触れて怪我をしないように尖鋭部２１を保護しており、これら尖鋭部２１とカバー部３の境界に破断促進部３１を形成して、カバー部３を除去自在にしている。
【００２６】
また、カバー部３の外周縁は、作業者が触れても怪我をしないように面取り加工などの周知手段によって、滑らかに仕上げておくのが望ましい。
【００２７】
また、本実施例では、カバー部３の外周に沿って、片面に向けて凹ませた（又は突出させた）リブ部３２を形成している。
【００２８】
このようなリブ部３２を形成すれば、前記同様、カバー部３の変形を防止でき、忍び返し具Ａの全体強度を高めることができることは勿論、破断促進部３１の破断強度との格差を高めることによって、破断促進部３１の破断作用を一層確実に行うことができる。
【００２９】
また、破断促進部３１は、尖鋭部２１とカバー部３の境界の全部又は一部に形成して、カバー部３を手指で折り曲げるだけで、この破断促進部３１に沿って、カバー部３を容易に除去できる構造のものであれば良い。
【００３０】
例えば、図２は、破断促進部３１の一実施例を概略した部分拡大図であり、図２（ａ）の破断促進部３１は、尖鋭部２１に沿って、尖鋭部２１とカバー部３の境界を薄肉に形成したものであり、図２（ｂ）の破断促進部３１は、尖鋭部２１に沿って、尖鋭部２１とカバー部３の境界に多数の小穿孔を断続的に形成したものを各々示している。
【００３１】
このように破断促進部３１は、カバー部３を手指で折り曲げるだけで、この破断促進部３１に沿って、簡単且つ確実に破断してカバー部３を除去できる構造のものであれば良く、本実施例に限定されるものではない。
【００３２】
また、本実施例で示したカバー部３は、尖鋭部２１を複数形成し、複数設けた尖鋭部２１に対応して区分けして、除去自在に尖鋭部２１と一体形成している。
【００３３】
そのため、図１（ｂ）で示すように、区分けされたカバー部３のうち、必要なカバー部だけを除去することができ、使用者が選択する尖鋭部２１だけを保護して使用することもできる。
【００３４】
なお、本実施例で示した忍び返し具Ａは、取付用基板１、忍び返し部２、カバー部３が、金属板で一体形成したものを示しているが、これに限定されるものではなく、樹脂で形成する射出成形品や、アルミで形成する鋳造成形品で一体形成したものでも良い。また、形状も例えば、取付用基板１が柱状に形成されたもの、或いは、忍び返し部２が釘状に形成されたもの等々、従来の取付用基板１及び忍び返し部２として使用されていたものであっても構わない。
【００３５】
また、カバー部３の形状も、忍び返し部２の尖鋭部２１の形状に応じて形成され、本実施例で示した板状に限定されず、例えば、棒状や球状のものであっても構わない。
【００３６】
要するに、カバー部３は、少なくとも尖鋭部２１を保護して、尖鋭部２１によって作業者が怪我を生じる危険を防止できる形状であれば良く、このようなカバー部３と尖鋭部２１の境界に、カバー部３を容易に除去自在な破断促進部３１を形成した構造のものであれば、採用できる。
【００３７】
このように構成した本発明に係る忍び返し具Ａは、例えば、以下の要領で使用する。
【００３８】
すなわち、本発明に係る忍び返し具Ａは、図１（ａ）で示したように、製造メーカー等において、尖鋭部２１を保護した状態にして製造された後、所望の販売先、設置場所にトラック等で運搬され、店頭販売にて販売や施工現場にて設置作業を行うことができる。
【００３９】
そのため、これら運搬作業や販売作業、設置作業等の取り扱い時において、作業者が誤って尖鋭部２１に触れて怪我をする危険を防止できるうえ、従来のカバー具を別途に形成する必要がないため、前記カバー具を複数の尖鋭部に手作業で一々被覆する手間も不要にでき、生産性を高めることができるうえ、コストダウンを図ることもできる。
【００４０】
そして、取付用基板１をネジ、溶接、粘着テープ等で所望の位置に固定して、設置作業を完了した後、カバー部３を手指で折り曲げるだけで、破断促進部３１に沿って、簡単且つ確実に破断されてカバー部３だけを除去することができる。
【００４１】
このカバー部３の除去によって、先端が鋭利に形成された尖鋭部２１が露出され、侵入者に対して威嚇効果を高めて、侵入を確実に防止するのである。
【実施例２】
【００４２】
図３（ａ）〜（ｃ）は、本発明のカバー部３の他の実施例を示した正面図である。
なお、図１、２と共通する部位には、同一の符号を付し、重複する説明は省略することとし、以下では、本実施例の特徴についてのみ説明する。
【００４３】
図３（ａ）のカバー部３は、複数に区分けされずに尖鋭部２１と一体形成したものを示している。
【００４４】
このカバー部３によれば、設置後のカバー部３を手指で折り曲げるだけで、破断促進部３１に沿ってカバー部３の全部を一度に除去することができ、作業性を高めることができる。
【００４５】
また、図３（ｂ）のカバー部３は、複数設けた尖鋭部２１に対応して区分けして、除去自在に尖鋭部２１と一体形成したものを示している。
【００４６】
そのため、このカバー部３によれば、使用者の選択枝を増すことができ、複数に区分されたカバー部３のうち、必要なカバー部３だけを除去して、残りの尖鋭部２１だけを保護して使用することができる。
【００４７】
また、図３（ｃ）のカバー部３は、尖鋭部２１が外被しないように保護すると共に、尖鋭部２１とカバー部３の境界の一部にのみ破断促進部３１を形成したものを示している。
【００４８】
そのため、このカバー部３によれば、破断促進部３１の破断面積を少なくすることができ、カバー部３の除去作業を一層簡単に行うことができる。
【図面の簡単な説明】
【００４９】
【図１】（ａ）、（ｂ）は、本発明に係る忍び返し具Ａの一実施例を示した斜視図であり、（ａ）は、カバー部が尖鋭部と一体形成された状態を示す斜視図であり、（ｂ）は、カバー部を尖鋭部から除去した状態を示す斜視図である。
【図２】本発明の破断促進部の一実施例を概略した部分拡大図であり、（ａ）の破断促進部は、尖鋭部に沿って、尖鋭部とカバー部の境界を薄肉に形成したものであり、（ｂ）の破断促進部は、尖鋭部に沿って、尖鋭部とカバー部の境界に多数の小穿孔を断続的に形成したものを各々示している。
【図３】本発明のカバー部の他の実施例を示した正面図であり、（ａ）のカバー部は、複数に区分けされずに尖鋭部と一体形成したものを示し、（ｂ）のカバー部は、複数設けた尖鋭部に対応して区分けして、除去自在に尖鋭部と一体形成したものを示し、（ｃ）のカバー部は、尖鋭部が外被しないように被覆すると共に、尖鋭部とカバー部の境界の一部にのみ破断促進部を形成したものを示している。
【符号の説明】
【００５０】
Ａ    忍び返し具
１    取付用基板
２    忍び返し部
２１  尖鋭部
３    カバー部
３１  破断促進部
【図１】
2008184844.tif 000003
【図２】
2008184844.tif 000004
【図３】
2008184844.tif 000005